(57)【要約】【課題】一連の動作を効率良く制御する。【解決手段】登録キーが入力操作されて登録モードに移行すると一連動作を行なわせるためのキー入力操作が繰返されて、入力操作キーに対応のキーコードは受理されてメモリに順次格納される（Ｓ１、Ｓ２、Ｓ６、Ｓ８、Ｓ９のループ）。登録モードを抜けるとバッチモードに移行して（Ｓ３でＹＥＳ）、メモリに格納されている複数キーコードは格納順に従い一括実行される（Ｓ１０、Ｓ１１のループ）。キーコードの受理を待つ必要もなく、またキー入力操作を待つこともなく複数キーコードは一括実行されるから、複数キーコードにより指示される一連動作を一括して行なわせることができる。【選択図】　　　　図４
2004145970.tif 000002
【特許請求の範囲】
【請求項１】
ＤＶＤを含むディスクの再生装置であって、
ディスクからの情報再生に関する動作を指示するために操作される各種キーを有するキー操作手段と、
前記キー操作手段において操作されたキーにより指示される前記動作を行なわせるために実行される該キーに対応のキーコードを受理するコード受理手段と、
前記コード受理手段により受理された前記キーコードを順次登録するためのコード登録手段と、
一連の前記動作を行なわせるために前記コード登録手段に登録された複数の前記キーコードを一括して実行するコード一括実行手段と、
自己を遠隔制御するための遠隔制御手段とを備えて、
前記コード一括実行手段は、前記コード登録手段に前記複数キーコードが登録完了したこと、および前記キー操作手段において所定キーが操作されたことのいずれかに応じて、前記複数キーコードの一括実行を開始し、
前記コード一括実行手段は、前記キー操作手段において前記所定キーが操作されたことに応じて前記複数キーコードの一括実行を開始する場合には、前記所定キーが操作される毎に前記複数キーコードの一括実行を開始し、
前記キー操作手段は前記遠隔制御手段に設けられる、および前記ディスク再生装置に一体的に設けられるのいずれかであって、前記遠隔制御手段に設けられる場合には前記コード受理手段は、通信により前記キー操作手段において操作されたキーに対応の前記キーコードを受理することを特徴とする、ディスク再生装置。
【請求項２】
ＤＶＤを含むディスクからの情報再生に関する動作を指示するために操作される各種キーを有するキー操作手段と、
前記キー操作手段において操作されたキーにより指示される前記動作を行なわせるために実行される該キーに対応のキーコードを受理するコード受理手段と、
前記コード受理手段により受理された前記キーコードを順次登録するためのコード登録手段と、
一連の前記動作を行なわせるために前記コード登録手段に登録された複数の前記キーコードを一括して実行するコード一括実行手段とを備える、ディスク再生装置。
【請求項３】
前記コード一括実行手段は、前記コード登録手段に前記複数キーコードが登録完了したことに応じて、前記複数キーコードの一括実行を開始することを特徴とする、請求項２に記載のディスク再生装置。
【請求項４】
前記コード一括実行手段は、前記キー操作手段において所定キーが操作されたことに応じて、前記コード登録手段に登録されている前記複数キーコードの一括実行を開始することを特徴とする、請求項２に記載のディスク再生装置。
【請求項５】
前記コード一括実行手段は、前記キー操作手段において前記所定キーが操作される毎に、前記コード登録手段に登録されている前記複数キーコードの一括実行を開始することを特徴とする、請求項４に記載のディスク再生装置。
【請求項６】
前記ディスク再生装置は、自己を遠隔制御するための遠隔制御手段をさらに備えて、
前記遠隔制御手段には前記キー操作手段が設けられて、
前記コード受理手段は、通信により、前記キー操作手段において操作されたキーに対応の前記キーコードを受理することを特徴とする、請求項２から５のいずれか１項に記載のディスク再生装置。
【請求項７】
前記キー操作手段は前記ディスク再生装置に一体的に設けられることを特徴とする、請求項２から５のいずれか１項に記載のディスク再生装置。
【請求項８】
ＤＶＤを含むディスクの記録装置であって、
ディスクへの情報記録に関する動作を指示するために操作される各種キーを有するキー操作手段と、
前記キー操作手段において操作されたキーにより指示される前記動作を行なわせるために実行される該キーに対応のキーコードを受理するコード受理手段と、
前記コード受理手段により受理された前記キーコードを順次登録するためのコード登録手段と、
一連の前記動作を行なわせるために前記コード登録手段に登録された複数の前記キーコードを一括して実行するコード一括実行手段と、
自己を遠隔制御するための遠隔制御手段とを備えて、
前記コード一括実行手段は、前記コード登録手段に前記複数キーコードが登録完了したこと、および前記キー操作手段において所定キーが操作されたことのいずれかに応じて、前記複数キーコードの一括実行を開始し、
前記コード一括実行手段は、前記キー操作手段において前記所定キーが操作されたことに応じて前記複数キーコードの一括実行を開始する場合には、前記所定キーが操作される毎に、前記複数キーコードの一括実行を開始し、
前記キー操作手段は前記遠隔制御手段に設けられる、および前記ディスク記録装置に一体的に設けられるのいずれかであって、前記遠隔制御手段に設けられる場合には前記コード受理手段は、通信により前記キー操作手段において操作されたキーに対応の前記キーコードを受理することを特徴とする、ディスク記録装置。
【請求項９】
ＤＶＤを含むディスクへの情報記録に関する動作を指示するために操作される各種キーを有するキー操作手段と、
前記キー操作手段において操作されたキーにより指示される前記動作を行なわせるために実行される該キーに対応のキーコードを受理するコード受理手段と、
前記コード受理手段により受理された前記キーコードを順次登録するためのコード登録手段と、
一連の前記動作を行なわせるために前記コード登録手段に登録された複数の前記キーコードを一括して実行するコード一括実行手段とを備える、ディスク記録装置。
【発明の詳細な説明】
【０００１】
【発明の属する技術分野】
この発明はＤＶＤ（Ｄｉｇｉｔａｌ　Ｖｅｒｓａｔｉｌｅ　Ｄｉｓｃ）を含むディスクの再生装置およびディスクへの記録装置に関し、特に、外部から操作の指示を入力して動作するディスク再生装置およびディスク記録装置に関する。
【０００２】
【従来の技術】
従来より、テレビ受像機やビデオテープレコーダ、ビデオディスクなどの機器には、大抵リモートコントロール機能が付いている。
【０００３】
具体的には、１つのファンクションキーを押すだけで一連のリモコン（リモートコントロールの略）操作信号を再生器側に送信、記憶させ、それを再生器側でデコードし、一連のリモコン操作を行なわせる技術が提案されている（たとえば特許文献１参照）。
【０００４】
また、テレテキスト放送を受信できるＶＴＲ（ビデオテープレコーダの略）において、字幕スーパーサービスを受けるためのリモコン送信器で一連の操作信号を送信して、チャンネルを変更しても同じサービスが受信できる技術が提案されている（たとえば特許文献２参照）。
【０００５】
【特許文献１】
特開昭６２−１７６２９３号公報の明細書と図面
【０００６】
【特許文献２】
特開平４−１００４９２号公報の明細書と図面
【０００７】
【発明が解決しようとする課題】
このように、従来提案されている技術ではキー操作のバッチ処理（一括処理）が提案されていないので、表示画面を見ながらキー操作を行なわなければならず、特にＤＶＤの再生装置などにおいては言語の切換操作が煩わしかった。また、キー操作回数に相当する操作時間を要するので、瞬時に設定が変更できるとも言えなかった。
【０００８】
また、特許文献１に示されるように、リモコン操作では、ユーザはコード信号を機器に送信する間は、ずっとリモコン送信器を持っていなければならず煩わしい。また、一連のリモコン操作のための送信コード信号が多いほど、リモコン操作中の通信機会が増えるから、通信エラーが起こりやすく誤操作の要因となっていた。また、通信時間も長くなるからリモコン送信器の消費電力も増大していた。
【０００９】
それゆえにこの発明の目的は、効率よく一連の動作を制御できるディスク再生装置およびディスク記録装置を提供することである。
【００１０】
【課題を解決するための手段】
この発明のある局面に従うＤＶＤを含むディスクの再生装置は、ディスクからの情報再生に関する動作を指示するために操作される各種キーを有するキー操作手段と、キー操作手段において操作されたキーにより指示される前動作を行なわせるために実行される該キーに対応のキーコードを受理するコード受理手段と、コード受理手段により受理されたキーコードを順次登録するためのコード登録手段と、一連の動作を行なわせるためにコード登録手段に登録された複数のキーコードを一括して実行するコード一括実行手段と、自己を遠隔制御するための遠隔制御手段とを備える。
【００１１】
そして、コード一括実行手段は、コード登録手段に複数キーコードが登録完了したこと、およびキー操作手段において所定キーが操作されたことのいずれかに応じて複数キーコードの一括実行を開始し、コード一括実行手段は、キー操作手段において所定キーが操作されたことに応じて複数キーコードの一括実行を開始する場合には、所定キーが操作される毎に複数キーコードの一括実行を開始する。
【００１２】
そして、キー操作手段は遠隔制御手段に設けられる、およびディスク再生装置に一体的に設けられるのいずれかであって、遠隔制御手段に設けられる場合にはコード受理手段は、通信によりキー操作手段において操作されたキーに対応のキーコードを受理する。
【００１３】
この発明の他の局面に従うディスク再生装置は、ＤＶＤを含むディスクからの情報再生に関する動作を指示するために操作される各種キーを有するキー操作手段と、キー操作手段において操作されたキーにより指示される動作を行なわせるために実行される該キーに対応のキーコードを受理するコード受理手段と、コード受理手段により受理されたキーコードを順次登録するためのコード登録手段と、一連の動作を行なわせるためにコード登録手段に登録された複数のキーコードを一括して実行するコード一括実行手段とを備える。
【００１４】
したがって、キー操作手段がキー操作されて一連の動作を行なわせるための複数のキーコードがコード登録手段に登録されると、登録された複数キーコードはコード一括実行手段により一括実行される。
【００１５】
それゆえに、動作中に何らかのキー操作を待つ、キーコードの受理を待つなどの待ち時間を介在させることなく一括して一連動作を行なわせることができて、効率よく一連の動作を制御できる。
【００１６】
上述のコード一括実行手段は好ましくは、コード登録手段に複数キーコードが登録完了したことに応じて、複数キーコードの一括実行を開始する。
【００１７】
したがって、複数キーコードの登録が完了すると、即、一括して一連動作を行なわせることができる。
【００１８】
上述のコード一括実行手段は好ましくは、キー操作手段において所定キーが操作されたことに応じて、コード登録手段に登録されている複数キーコードの一括実行を開始する。
【００１９】
したがって、複数キーコードの登録が完了した後は、所定キーが操作される任意のタイミングにおいて、一括して一連動作を行なわせることができる。
【００２０】
上述のコード一括実行手段は好ましくは、キー操作手段において所定キーが操作される毎に、コード登録手段に登録されている複数キーコードの一括実行を開始する。
【００２１】
したがって、複数キーコードの登録が完了した後は、所定キーが操作される毎に繰返し一連動作を一括して行なわせることができる。
【００２２】
上述のディスク再生装置は好ましくは、自己を遠隔制御するための遠隔制御手段をさらに備えて、遠隔制御手段にはキー操作手段が設けられて、コード受理手段は、通信により、キー操作手段において操作されたキーに対応のキーコードを受理する。
【００２３】
したがって、キー操作手段がキー操作されて一連の動作を行なわせるための複数のキーコードが通信により受理されてコード登録手段に登録されると、登録された複数キーコードはコード一括実行手段により一括実行される。
【００２４】
それゆえに、動作中に通信によるキーコードの受理を待つための待ち時間を介在させることなく一括して一連動作を行なわせることができて、効率よく一連の動作を制御できる。また、一連動作を行なわせるためのキーコードの通信は集中的に行なわれるから、キーコードの通信、受理および実行を各キーコード毎に繰返す場合に比較して通信機会を少なくできて、その結果、通信エラーも起こりにくくなる。
【００２５】
上述のキー操作手段は好ましくは、ディスク再生装置に一体的に設けられる。それゆえに、動作中に通信によるキーコードの受理を待つための待ち時間を介在させることなく一括して一連動作を行なわせることができて、効率よく一連の動作を制御できる。
【００２６】
この発明のさらなる他の局面に従うＤＶＤを含むディスクの記録装置は、ディスクへの情報記録に関する動作を指示するために操作される各種キーを有するキー操作手段と、キー操作手段において操作されたキーにより指示される前動作を行なわせるために実行される該キーに対応のキーコードを受理するコード受理手段と、コード受理手段により受理されたキーコードを順次登録するためのコード登録手段と、一連の動作を行なわせるためにコード登録手段に登録された複数のキーコードを一括して実行するコード一括実行手段と、自己を遠隔制御するための遠隔制御手段とを備える。
【００２７】
そして、コード一括実行手段は、コード登録手段に複数キーコードが登録完了したこと、およびキー操作手段において所定キーが操作されたことのいずれかに応じて複数キーコードの一括実行を開始し、コード一括実行手段は、キー操作手段において所定キーが操作されたことに応じて複数キーコードの一括実行を開始する場合には、所定キーが操作される毎に複数キーコードの一括実行を開始する。
【００２８】
そして、キー操作手段は遠隔制御手段に設けられる、およびディスク記録装置に一体的に設けられるのいずれかであって、遠隔制御手段に設けられる場合にはコード受理手段は、通信によりキー操作手段において操作されたキーに対応のキーコードを受理する。
【００２９】
この発明のさらなる他の局面に従うディスク記録装置は、ＤＶＤを含むディスクへの情報記録に関する動作を指示するために操作される各種キーを有するキー操作手段と、キー操作手段において操作されたキーにより指示される動作を行なわせるために実行される該キーに対応のキーコードを受理するコード受理手段と、コード受理手段により受理されたキーコードを順次登録するためのコード登録手段と、一連の動作を行なわせるためにコード登録手段に登録された複数のキーコードを一括して実行するコード一括実行手段とを備える。
【００３０】
したがって、キー操作手段がキー操作されて一連の動作を行なわせるための複数のキーコードがコード登録手段に登録されると、登録された複数キーコードはコード一括実行手段により一括実行される。
【００３１】
それゆえに、動作中に何らかのキー操作を待つ、キーコードの受理を待つなどの待ち時間を介在させることなく一括して一連動作を行なわせることができて、効率よく一連の動作を制御できる。
【００３２】
上述のコード一括実行手段は好ましくは、コード登録手段に複数キーコードが登録完了したことに応じて、複数キーコードの一括実行を開始する。
【００３３】
したがって、複数キーコードの登録が完了すると、即、一括して一連動作を行なわせることができる。
【００３４】
上述のコード一括実行手段は好ましくは、キー操作手段において所定キーが操作されたことに応じて、コード登録手段に登録されている複数キーコードの一括実行を開始する。
【００３５】
したがって、複数キーコードの登録が完了した後は、所定キーが操作される任意のタイミングにおいて、一括して一連動作を行なわせることができる。
【００３６】
上述のコード一括実行手段は好ましくは、キー操作手段において所定キーが操作される毎に、コード登録手段に登録されている複数キーコードの一括実行を開始する。
【００３７】
したがって、複数キーコードの登録が完了した後は、所定キーが操作される毎に繰返し一連動作を一括して行なわせることができる。
【００３８】
上述のディスク記録装置は好ましくは、自己を遠隔制御するための遠隔制御手段をさらに備えて、遠隔制御手段にはキー操作手段が設けられて、コード受理手段は、通信により、キー操作手段において操作されたキーに対応のキーコードを受理する。
【００３９】
したがって、キー操作手段がキー操作されて一連の動作を行なわせるための複数のキーコードが通信により受理されてコード登録手段に登録されると、登録された複数キーコードはコード一括実行手段により一括実行される。
【００４０】
それゆえに、動作中に通信によるキーコードの受理を待つための待ち時間を介在させることなく一括して一連動作を行なわせることができて、効率よく一連の動作を制御できる。また、一連動作を行なわせるためのキーコードの通信は集中的に行なわれるから、キーコードの通信、受理および実行を各キーコード毎に繰返す場合に比較して通信機会を少なくできて、その結果、通信エラーも起こりにくくなる。
【００４１】
上述のキー操作手段は好ましくは、ディスク記録装置に一体的に設けられる。それゆえに、動作中に通信によるキーコードの受理を待つための待ち時間を介在させることなく一括して一連動作を行なわせることができて、効率よく一連の動作を制御できる。
【００４２】
【発明の実施の形態】
以下、この発明の各実施の形態について図面を参照し説明する。
【００４３】
（実施の形態１）
図１にはリモコン操作可能なＤＶＤ再生装置の構成が示される。図１を参照してＤＶＤ再生装置は、リモコン送信器１とリモコン送信器１により遠隔制御されるＤＶＤ再生部１０とを備える。
【００４４】
リモコン送信器１は、外部操作可能な複数個のキーを設けた操作パネル２、リモコン送信器１の動作を集中的に制御および開始するためのＣＰＵ（Ｃｅｎｔｒａｌ　Ｐｒｏｃｅｓｓｉｎｇ　Ｕｎｉｔ）３、操作パネル２において入力操作されたキーに対応のコードを発生させるためのプログラムやデータを格納するためのＲＯＭ（Ｒｅａｄ　Ｏｎｌｙ　Ｍｅｍｏｒｙ）４、各種のデータを格納するためのＲＡＭ（Ｒａｎｄｏｍ　Ａｃｃｅｓｓ　Ｍｅｍｏｒｙ）５、ＣＰＵ３により指示された制御信号のフォーマットに基づいた赤外光の発光を指示する送信回路６、および送信回路６の指示により赤外光を発光する赤外発光ダイオード７を有する。
【００４５】
ＤＶＤ再生部１０は、ＤＶＤ再生部１０の各部の動作を集中的に制御および監視するための図示されないＣＰＵなどを含む制御部１１、動作を制御するための各種プログラムや各種のデータを格納するためのメモリ１２、ＤＶＤ１３から情報を読取り再生するための再生部１４、再生部１４による再生信号を所定処理して出力したり、再生部１４に対して再生動作のための信号を出力する信号処理部１５、与えられる信号（ＤＶＤ１３から再生された映像信号を含む）に基づいた画像を表示するための表示部１６、表示部１６の表示画面に重複して表示される文字情報を発生させるためのキャラクタ発生部１７、外部からＤＶＤ再生部１０を操作するための複数個のキーが設けられる操作部１８、およびリモコン送信器１から送信された赤外光を受光する赤外光受光フォトダイオード２０、赤外光受光フォトダイオード２０による受光信号から制御信号を検出する受信回路１９を有する。
【００４６】
メモリ１２には、リモコン送信器１から送信された内容に基づくキーコード列ＫＣＬが図２のように格納される。キーコード列ＫＣＬは、リモコン送信器１から受信した制御信号に基づいて変換された複数個のキーコードＫｉ（ｉ＝１、２、３、…）を受信順に含み、最終にはエンドコードＥＣを含む。メモリ１２においてキーコード列ＫＣＬの各キーコードＫｉはポインタＰＮにより指示される。
【００４７】
図３には、図１のリモコン送信器１の外観が示される。ここではリモコン送信器１は図示されないテレビジョン受像機のリモコンとしても兼用されていると想定する。
【００４８】
図３を参照してリモコン送信器１の上面には操作パネル２が設けられ、側面には赤外発光ダイオード７の赤外光を外部に照射して出力するための照射窓３１が設けられる。
【００４９】
操作パネル２には、ＤＶＤ再生部１０の電源をＯＮ／ＯＦＦするための電源キー２１、チャンネルを操作するためのチャンネルキー２２、ボリュームを調整するためのボリュームキー２３、キーコード列ＫＣＬをメモリ１２に登録するための登録キー２４、キーコード列ＫＣＬの各キーコードＫｉの実行を指示するための実行キー２５、数値入力のためのテンキー２６、表示部１６に表示されるカーソルを移動させるためのカーソルキー２７、表示部１６にメニュー画面を表示させるためのメニューキー２８、キー入力の内容を確定するためのエンターキー２９、およびキーコード列ＫＣＬについての最終のキーコードＫｉを入力して、一連のキー操作が完了したことを指示するために操作されるエンドキー３０を有する。
【００５０】
図３に示された操作パネル２の各種キーの入力操作がなされると、ＣＰＵ３は入力操作されたキーに対応のコードをＲＯＭ４に格納された情報に従って取得し、取得したコードに基づく制御信号を送信回路６に与えるので、送信回路６は与えられた制御信号に基づいて赤外発光ダイオード７を駆動するので、赤外発光ダイオード７からは入力されたキーに対応のキーコードに従い変調された赤外光の信号が送信される。ＤＶＤ再生部１０においては、この赤外光の信号をフォトダイオード２０により受光し、受信回路１９は受光信号から制御信号を抽出し、制御部１１に与える。制御部１１はメモリ１２に格納された情報に従い、受信した赤外光による制御信号を対応のキーコードＫｉに変換する。これにより、ユーザが操作パネル２から入力操作したキーに対応のキーコードＫｉをＤＶＤ再生部１０において取得（受理）できる。
【００５１】
図４には、リモコン送信器１を用いたキーコード列ＫＣＬの登録と登録されたキーコード列ＫＣＬに基づく動作の実行処理フローチャートが示される。図４のフローチャートに従い動作を説明する。まず、キーコード列ＫＣＬを登録するとき、制御部１１は受信回路１９を介してリモコン送信器１からの制御信号を入力するまで待ち状態にある（ステップＳ（以下、単にＳと略す）１）が、ユーザにより操作パネル２の何らかのキーが入力操作されると、この何らかの入力キーが登録キー２４であるか否かを受信した制御信号に基づいて判定する（Ｓ２）。
【００５２】
登録キー２４がキー入力されたと判定されると（Ｓ２でＹＥＳ）、制御部１１はＤＶＤ再生部１０においてキーコード列ＫＣＬのメモリ１２への登録モードが既にＯＮ（設定）されているか否かを判定する（Ｓ３）。登録モードがＯＮされていないと判定されると（Ｓ３でＮＯ）、制御部１１は登録モードをＯＮして（Ｓ４）、表示部１６において登録モードの編集画面を表示する（Ｓ５）。その後、Ｓ１に戻り、リモコン送信器１からのキー入力待ちの状態に移行する。
【００５３】
ユーザは登録キー２４を操作した後は、キーコード列ＫＣＬについての一連のキーコードＫｉを登録するためのキー入力操作を行なうので、入力キーの種別が判定される（Ｓ２）。この場合、入力キーは登録キー２４ではないと判定されて（Ｓ２でＮＯ）、既に登録モードがＯＮされていると判定されるので（Ｓ６でＹＥＳ）、制御部１１は今回の入力キーに対応の制御信号から得られたキーコードＫｉをメモリ１２に格納する（Ｓ８）。このとき、ユーザがメニューキー２８を入力操作しているとすれば、メモリ１２には図２のようにキーコードＫ１が登録される。そして表示部１６の編集画面において入力キーコードが表示される（Ｓ９）。編集画面において入力キーコードの表示はキャラクタ発生部１７を用いたＯＳＤ（Ｏｎ　Ｓｃｒｅｅｎ　Ｄｉｓｐｌａｙ）機能に従いなされる。したがって、ユーザは表示部１６を参照することで、入力した一連のキーコードＫｉをリアルタイムに確認できるので、誤ったキー入力を発見しやすく、それにより誤った動作を未然に回避できる。その後、Ｓ１に戻り、次のキー入力を待つ。
【００５４】
以上のＳ２→Ｓ６→Ｓ８→Ｓ９→Ｓ１のループ処理が複数回繰返される。該ループの最後の繰返しにおいては、キーコード列ＫＣＬの入力を完了したことを示すエンドキー３０が入力されるので、メモリ１２にエンドコードＥＣが登録されてキーコード列ＫＣＬは図２のようになる。エンドコードＥＣが登録されると、ポインタＰＮはキーコード列ＫＣＬの先頭のキーコードＫｉ、すなわち図２のキーコードＫ１を指示するように設定される。
【００５５】
一連のキーコードＫｉからなるキーコード列ＫＣＬの登録を終えると、表示部１６には図５に示されるように、今回ユーザが登録したキーコード列ＫＣＬの一連のキーコードＫｉが表示されることになる。
【００５６】
ユーザは、図５の画面を確認して、直前に登録したキーコード列ＫＣＬのキーコードＫｉに従う一連の動作をＤＶＤ再生部１０において実行することを希望したときは、再度登録キー２４を入力する（Ｓ１、Ｓ２でＹＥＳ）。
【００５７】
制御部１１は登録キー２４が入力されたことを判定し（Ｓ２でＹＥＳ）、かつ登録モードが既にＯＮされていると判定すると（Ｓ３でＹＥＳ）、バッチモードに移行して、メモリ１２内の登録されたキーコード列ＫＣＬのキーコードＫｉを一括実行するためのバッチ処理が実行される。つまりポインタＰＮで示されるキーコードＫｉから順に読出してデコードして、デコード結果に基づいた動作を実行し（Ｓ１０）、キーコードＫｉが読出されるごとにポインタＰＮを次位のキーコードＫ（ｉ＋１）を指示するように設定する。
【００５８】
このようにポインタＰＮを更新しながらキーコードＫｉの読出と実行が繰返されて（Ｓ１０とＳ１１のループ処理）、ポインタＰＮがエンドコードＥＣを指示していると判定されると、当該キーコード列ＫＣＬにおける実行すべきキーコードＫｉがなくなった（すべて実行を完了した）と判定されて（Ｓ１１でＹＥＳ）、バッチモードから抜けてＳ１のキー入力待ち状態に移行する。
【００５９】
一方、入力キーが登録キー２４でなくて登録モードもＯＮされていないときは（Ｓ６でＮＯ）、当該入力キーに対応の処理が実行される（Ｓ７）。
【００６０】
以上により、リモコン送信器１からＤＶＤ再生部１０に対して一連のキーコードＫｉによるキーコード列ＫＣＬの登録をした後に、すぐに登録キーコード列ＫＣＬの一連のキーコードＫｉに従う操作をＤＶＤ再生部１０においてバッチ処理により一括実行できる。
【００６１】
ここでは、キーコード列ＫＣＬを登録した後、登録モードから抜けるための登録キー２４の再入力操作に応じて、バッチモードに移行するとしたが、エンドキー３０が入力操作されたエンドコードＥＣが登録された（キーコード列ＫＣＬが登録完了した）ことに応じてバッチモードに移行するとしてもよい。
【００６２】
（実施の形態２）
上述した実施の形態１に従う図４の手順では、キーコード列ＫＣＬを登録し、即実行していたが、図６の手順のように登録直後とは異なるタイミングで実行することもできる。図６のフローチャートでは図４のそれに対してＳ６ａ、Ｓ６ｂ、Ｓ９ａ、Ｓ９ｂおよびＳ１１ａの処理が追加されているが、他の処理は図４のそれらと同様である。
【００６３】
図６のフローチャートでは、図４と同じ手順で登録モードをＯＮして表示部１６に登録モードの編集画面を表示し（Ｓ１、Ｓ２、Ｓ４、Ｓ５）、入力キーコードＫｉをメモリ１２内に順次格納しながら編集画面において表示し（Ｓ８、Ｓ９）、一連のキーコードＫｉからなるキーコード列ＫＣＬを登録完了すると、エンドキー３０の入力がなされて（Ｓ９ａでＹＥＳ）、登録モードがＯＦＦ（設定解除）されて（Ｓ９ｂ）、リモコンキーの入力待ち状態に移行する（Ｓ１）。以上のようにして、メモリ１２にキーコード列ＫＣＬが登録されると登録モードがＯＦＦ（Ｓ９ｂ）されるので、ＤＶＤ再生装置１０は登録モードとは異なる動作モード（再生モードまたは後述の実行モードなど）に移行できる。
【００６４】
その後、ユーザがメモリ１２に既に登録されているキーコード列ＫＣＬの実行を希望した場合には、実行キー２５を入力操作するので（Ｓ１、Ｓ２でＮＯ、Ｓ６でＮＯ、Ｓ６ａでＹＥＳ）、実行モードがＯＮされて（Ｓ６ｂ）メモリ１２内のキーコード列ＫＣＬについて先に入力されているキーコードＫｉから順に、すなわちポインタＰＮで示されるキーコードＫｉから順に実行される（Ｓ１０）。キーコード列ＫＣＬについて実行キーコードＫｉがなくなるまで一連のキーコードＫｉの実行が繰返される（Ｓ１０とＳ１１のループ処理）。実行すべきキーコードＫｉがなくなったことが判定されると、つまりエンドコードＥＣが読出されたことが判定されると（Ｓ１１でＹＥＳ）、実行モードはＯＦＦされて（Ｓ１１ａ）、一連のキーコードＫｉの実行は終了して入力待ち状態に移行する（Ｓ１）。
【００６５】
以上のように、登録モード終了後の任意のタイミングにおいて実行キー２５を入力操作することにより、キーコード列ＫＣＬの登録とは全く異なったタイミングで、登録されたキーコード列ＫＣＬを一括実行できる。
【００６６】
また、登録モード終了後において実行キー２５の入力操作がなされる毎に、図６のフローチャートに従いメモリ１２に予め登録されたキーコード列ＫＣＬの一括実行を繰返すことができる。
【００６７】
以上のように、ＤＶＤ再生部１０を操作するために実行されるキーコードＫｉのキーコード列ＫＣＬは、リモコン送信器１側ではなく制御対象であるＤＶＤ再生部１０において登録されて、登録されたキーコード列ＫＣＬは一括実行される。それゆえに、キーコード列ＫＣＬの各キーコードＫｉの信号を送信しながら実行する手順を繰返す場合に比較し、ユーザはリモコン送信器１を手元に携帯する時間は短くなって煩わしくない。
【００６８】
また、一連の操作のためのキーコードＫｉの送信開始から送信終了までの期間を短縮できて、リモコン送信器１の消費電力の削減および通信期間短縮による通信エラーが起こりにくくなる。
【００６９】
また、ＤＶＤソフトの設定（音声切換、字幕の有無の切換）において、画面の変更などを待たずにキー操作を一括して行なえる。ＤＶＤ１３やＤＶＤ再生部１０側に係る設定内容が、ユーザの望んでいる設定内容と異なるときには、上述のキーコード列ＫＣＬによる設定変更を一括実行することにより、設定変更を速やかに行なうことができる。設定内容の変更とは、ＤＶＤ１３側で設定されている情報が言語＝英語、字幕＝日本語となっている場合において、ユーザが希望する言語＝日本語、字幕＝なしに変更する場合などである。
【００７０】
また、メニュー画面で項目を選択するための複雑なキー操作もメニュー画面における各種コマンドキー操作なども、キーコード列ＫＣＬを利用することにより効率的に一括実行できる。
【００７１】
上述の各実施の形態では、リモコン送信器１からの赤外光通信によりキーコード列ＫＣＬの登録およびキーコード列ＫＣＬの実行がなされたが、ＤＶＤ再生部１０のフロントパネルに設けられた操作部１８にリモコン送信機と同様のキーを設けて、操作部１８のキー入力操作によりキーコード列ＫＣＬの登録およびキーコード列ＫＣＬの実行がなされるようにしてもよい。
【００７２】
上述の各実施の形態では、キーコード列ＫＣＬのキーコードＫｉの一括実行による制御対象はＤＶＤ再生部１０としているが、ＤＶＤなどのディスクに情報を記録する記録部であってもよい。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７４】
【発明の効果】
この発明に従えば、動作中に何らかのキー操作を待つ、キーコードの受理を待つなどの待ち時間を介在させることなく一括して一連動作を行なわせることができて、効率よく一連の動作を制御できる。
【図面の簡単な説明】
【図１】リモコン操作可能なＤＶＤ再生装置の構成図である。
【図２】メモリに格納されたキーコード列の一例を示す図である。
【図３】図１のリモコン送信器１の外観図である。
【図４】キーコード列の登録とキーコード列に基づく動作の実行処理フローチャートの一例を示す図である。
【図５】キーコード列登録時の表示画面例を示す図である。
【図６】キーコード列の登録とキーコード列に基づく動作の実行処理フローチャートの他の例を示す図である。
【符号の説明】
１　リモコン送信器、２　操作パネル、１０　ＤＶＤ再生部、１１　制御部、１２　メモリ、１６　表示部、ＫＣＬ　キーコード列、Ｋｉ　キーコード、ＥＣエンドコード、２４　登録キー、２５　実行キー、３０　エンドキー。
【図１】
2004145970.tif 000003
【図２】
2004145970.tif 000004
【図３】
2004145970.tif 000005
【図４】
2004145970.tif 000006
【図５】
2004145970.tif 000007
【図６】
2004145970.tif 000008